【事件の表示】
　特許第３２７４０３３号「６極ジャック・プラグ」の請求項１、２に係る特許に対する特許異議の申立てについて、次のとおり決定する。
【結　論】
　訂正を認める。
　特許第３２７４０３３号の請求項１に係る特許を維持する。
【理　由】
１．手続の経緯
　特許第３２７４０３３７号の請求項１ないし２に係る発明についての出願は、平成６年１１月１５日に特許出願され、平成１４年２月１日にその発明について特許権の設定登録がされ、その後、その特許について、特許異議申立人　林　英一により特許異議の申立てがなされ、取消しの理由が通知され、その指定期間内である平成１５年１０月２１日に訂正請求がなされたものである。
　　
２．訂正の適否についての判断
１）訂正内容
　特許権者が求めている訂正の内容は、別紙のとおりの訂正事項ａないし訂正事項ｉである。
　　
２）訂正の目的の適否、新規事項の有無、及び特許請求の範囲の拡張・変更の存否
（１）訂正事項ａについて
　上記訂正事項ａに関連する記載として、願書に添付した明細書（以下、「特許明細書」という。）の発明の詳細な説明において、段落【００４０】には「接点リング２９は、ホルダー２６の最前部に設けられ、接点リング３０は接点リング２９より奥の方に接点リング２９の直径よりやや小さな直径をもって設けられている。」と記載されていることから、「２極のホルダー」として「４極プラグに鍔状に嵌め込んだ円筒状絶縁体の最前部内面に環状の第１の接点リング(29)を設け、該第１の接点リング(29)より奥の方に第１の接点リング(29)の直径より小径の環状の第２の接点リング(30)を配置して形成した２極のホルダー」を用いてなる発明は特許明細書に記載されているものと認められる。
　また、同様に、段落【００１７】には「本発明に係る６極ジャック・プラグは、全て板バネを用いているので良好な接触性能が得られる。又、接続操作も簡単、確実に行うことができる。」と記載されていることから、各「バネ」として「板バネ」を用いてなる発明は特許明細書に記載されているものと認められる。
　更に、「リングバネ」を「第１のリング板バネ」と、「第１のスリーブバネ」を「スリーブ板バネ」と、「第２のスリーブバネ」を「第２のリング板バネ」と訂正することは、明りょうでない記載の釈明を目的とするのもである。
　以上のことから、上記訂正事項ａは、特許明細書に記載された事項の範囲内において「２極のホルダー」及び「バネ」を限定したものといえるから、特許請求の範囲の減縮を目的とした明細書の訂正に該当するものであって、新規事項の追加に該当せず、また、実質上特許請求の範囲を拡張し、又は変更するものではない。
　　
（２）訂正事項ｂについて
　訂正事項ｂは、「ラヂオ受信機等」を「ラジオ受信機等」と訂正するものであって、明らかに誤記の訂正を目的とした明細書の訂正に該当し、新規事項の追加に該当せず、実質的に特許請求の範囲を拡張又は変更するものではない。
　　
（３）訂正事項ｃについて
　訂正事項ｃは、「上記発明」を「上記従来技術」と訂正するものであって、明りょうでない記載の釈明を目的とした明細書の訂正に該当し、新規事項の追加に該当せず、実質的に特許請求の範囲を拡張又は変更するものではない。
　　
（４）訂正事項ｄおよびｅは、上記訂正事項ａとの整合を図るものであるから、明りょうでない記載の釈明を目的とした明細書の訂正に該当し、新規事項の追加に該当せず、実質的に特許請求の範囲を拡張又は変更するものではない。
　　
（５）訂正事項ｆないしｉは、用語を統一する訂正であって、明りょうでない記載の釈明を目的とした明細書の訂正に該当し、新規事項の追加に該当せず、実質的に特許請求の範囲を拡張又は変更するものではない。
　　
３）むすび
　以上のとおりであるから、上記訂正は特許法第１２０条の４第２項及び同条第３項において準用する第１２６条第２，３項の規定に適合するので、当該訂正を認める。
　　
３．特許異議の申立てについて
１）申立ての理由の概要
　特許異議申立人　林　英一は、特許第３２７４０３３号の請求項１に係る発明は、甲第１号証で示す刊行物に記載された発明であり、特許法第２９条第１項第３号に規定する発明に該当し、また、請求項１ないし２に係る発明は、甲第１ないし３号証で示す刊行物に記載された発明に基いて当業者が容易に発明をすることができたものであるから、特許法第２９条第２項の規定により特許を受けることができない発明であって、それらの発明の特許は、特許法第１１３条第２号に該当するので取り消されるべき旨主張している。
　　
２）本件発明
　上記のとおり、訂正は認められるから、特許第３２７４０３３号の請求項１に係る発明（以下、「本件発明」という。）は、平成１５年１０月２１日付けの訂正明細書の特許請求の範囲の請求項１に記載された事項により特定される次のとおりのものである。なお、請求項２は、平成１５年１０月２１日付けの訂正請求により、削除された。
　　
【請求項１】チップ板バネと、第１のリング板バネと、スリーブ板バネと、第２のリング板バネとのそれらの各接点をプラグ挿入穴に向けて配置すると共に、第１の接触板バネと第２の接触板バネとの夫々の接点を外向きにしてハウジングの外側に配置して構成した６極ジャックと、
　チップと、第１の中リングと、第２の中リングと、スリーブとを夫々の間に絶縁カラーを挟んで一体成形した４極プラグと、この４極プラグに鍔状に嵌め込んだ円筒状絶縁体の最前部内面に環状の第１の接点リングを設け、該第１の接点リングより奥の方に第１の接点リングの直径より小径の環状の第２の接点リングを配置して形成した２極のホルダーとを備えた６極単頭プラグとからなり、
　上記６極単頭プラグを上記６極ジャックのプラグ挿入穴に挿入した時、上記チップと上記チップ板バネ、上記第１の中リングと上記第１のリング板バネ、上記第２の中リングと上記第２のリング板バネ、上記スリーブと上記スリーブ板バネ、上記第１の接点リングと上記第１の接触板バネ、上記第２の接点リングと上記第２の接触板バネとが夫々接触するように構成したことを特徴とする６極ジャック・プラグ。
　　
３）取消理由通知で引用された刊行物
（１）刊行物１：特開平３−２６６３８２号公報（特許異議申立人提出の甲第１号証）
　　
（２）刊行物２：特開平４−１１８８７９号公報（特許異議申立人提出の甲第２号証）
　　
（３）刊行物３：実願平４−７０８６１号（実開平６−３６２５５号）のＣＤ−ＲＯＭ（特許異議申立人提出の甲第３号証）
　　
（４）刊行物４：実願平４−４９４８２号（実開平６−５１６１号）のＣＤ−ＲＯＭ
　　
４）各刊行物に記載された発明
（１）上記刊行物１は「多接点同軸シエルコネクター」に関するものであって、図１〜３と共に、以下の事項が記載されている。
１−イ．「２．特許請求の範囲
（１）ポストを設け、該ポストが多数の導電性接点バンドを、互いに絶縁され、かつ、該ポストの長手方向である縦方向に間隔を隔てた状態で有しており、上記ポストを間隔を隔てて同軸関係で囲むシエルを設け、該シエルが多数の導電性接点リングを、互いに絶縁され、かつ、該シエルの長手方向である縦方向に間隔を隔てた状態で有しており、上記ポスト及び上記シエルが同軸の位置関係で固定されて、一端部が上記接点バンド及びリングへの接続のために開放しており、他端部においてコネクターボデイに取り付けてあることを特徴とする多接点同軸シエルコネクター。」（第１頁左下欄第４〜１６行参照）
１−ロ．「第２図は本発明実施例のコネクターの断面図である。ポスト１００は、多数の導電性接点バンド７，８，９，１０を支持する絶縁ポスト１３で形成されている。」（第２頁右下欄第１８行〜第３頁左上欄第１行参照）
１−ハ．「各バンドは絶縁ポスト１３を囲んでおり、隣接するバンドから互いに離れて、絶縁ポスト１３の長手方向（縦方向）に間隔を隔てている。」（第３頁左上欄第３〜６行参照）
１−ニ．「ポスト１００は、絶縁ポスト１３の端部に窪み付きの導電性接点端部１１を有しており、」（第３頁右上欄第４〜５行参照）
１−ホ．「シエル２００は、多数の導電性接点リング１，２，３，４，５，６を支持する絶縁シエル１２で形成されている。」（第３頁右上欄第１２〜１４行参照）
１−ヘ．「ポスト１００及びシエル２００は一端部が開放しており、そこから相手側ソケツトを取り付けて多数の接点リング及びバンドに接続できるようになっており、又、他端部は閉鎖されており、コネクターボデイ３００に接続している。コネクターボデイ３００はポスト１００をシエル２００内に同心に保持しており、そのように保持するために、例えば、絶縁ポスト１３と絶縁シエル１２とが絶縁ボデイ１５で連結されている。」（第３頁右下欄第３〜１１行参照）
１−ト．「管状ソケツト絶縁体３１５は、コネクターのポストとシエルの間にはまるような寸法形状の環状体であり、ポスト１００及びシエル２００の多数の接点リング及びバンドと接触する切り欠き付き板ばね接点４００を保持している。」（第４頁左上欄第１９行〜右上欄第３行参照）
１−チ．「板ばね接点４００はポスト１００上のバンドと接触するように内側に向けることができ、又、シエル２００上のリングと接触するように外側に向けることもできる。多数の板ばね接点４００は互いに間隔を隔てており、例えば４５度の角度間隔を隔てて互いに異なる角度位置にあるとともに、管状ソケツト絶縁体３１５の内周及び外周の回りにおいて、内向き及び外向きに交互に形成されている。」（第４頁右上欄第７〜１５行参照）
１−リ．「スナツプソケツト３１１が、コネクターの窪み接点端部１１を受け入れるために、管状ソケツト絶縁体の内側に配置されている。」（第４頁左下欄第９〜１１行参照）
　　
（２）上記刊行物２は「接続装置」に関するものであって、図１〜６と共に、以下の事項が記載されている。
２−イ．「接続ジャック３には音声信号用のバネ性を有する接点１１ａ，１１ｂ，１１ｃとそれらの接点とは別に制御信号用第１の接続部分としての口金２、また第３の接続部分としてのバネ性を有するサイド端子６が一体形成されている。」（第２頁左下欄第１７行〜右下欄第１行参照）
２−ロ．「一方、接続プラグ６には前記接続ジャック３の接点１１ａ，１１ｂ，１１ｃに対向する音声信号用接続端子４ａ，４ｂ，４ｃとそれらの接続端子とは別に、前記接続ジャックの制御信号用第１の接点１１ｄに対向する接点４ｄと第２の接点としての口金２と対向するリング状のバネ性を有する接続端子Ａ１がプラグ４の根本周囲に一体形成されており、接続端子Ａ１は第３図のように、断面が楕円の筒状で、長径方向にはスリット１ｂを設け、短径方向には対の対向した接点用凸部１ａが設けられており、接続ジャック３の口金２と係合すると、２点鎖線のようにたわみ、安定した接触を得られるように構成されている。第３の接点としてのサイド端子６に対向する円筒状の接続端子Ｂ５は、接続端子Ａ１と絶縁するためのスペーサー７を間にはさみ、外周を覆うように構成されている。」（第２頁右下欄第１〜１８行参照）
　そして、上記記載事項および各図面を参酌すれば、上記刊行物２には、
「接点１１ａと、接点１１ｂと、接点１１ｃと、接点１１ｄとをプラグ挿入穴に向けて配置すると共に、口金２とサイド端子６との夫々の接点をハウジングの外側に配置して構成した接続ジャック３と、接続端子４ａと、接続端子４ｂと、接続端子４ｃと、接点４ｄとを夫々の間に絶縁カラーを挟んで一体成形したプラグ４と、このプラグ４に嵌め込んだ円筒状絶縁体の内外周面に接続端子Ａ１および接続端子Ｂ５を配置して形成したスペーサ７を有する接続プラグ６からなり、
上記接続プラグ６を上記接続ジャック３のプラグ挿入穴に挿入した時、上記接続端子４ａと上記接点１１ａ、上記接続端子４ｂと上記接点１１ｂ、上記接続端子４ｃと上記接点１１ｃ、上記接点４ｄと上記接点１１ｄ、上記接続端子Ａ１と上記口金２、上記接続端子Ｂ５と上記サイド端子６とが夫々接触するように構成した接続装置。」（以下、「引用発明」という。）
が記載されていると認められる。
　　
（３）上記刊行物３は「ジャック型コネクタ」に関するものであって、図１〜６と共に、以下の事項が記載されている。
３−イ．「図１は本考案の実施例によるジャックの分解斜視図であり、１，２，３はそれぞれ第１，第２，第３の接片部材、４は絶縁性の合成樹脂で作られたボディを示す。」（【００１０】参照）
３−ロ．「第１接片部材１はプラグＰのアース接片Ｅ（図５参照）に対応するもので、取付片部１１と取付片部１１に一定の初期曲り角度θを形成して左側方Ｂ’に向けて延出された接片部１２と接片部１２の先端に延出された突片部１３とを一体に備えたばね性の金属薄板材で作られている。そして、取付片部１１に、その中央部に内向き切起し状に形成された係合片１４と両側端部に形成された係合爪１５，１５と下端部から右側方Ｂ”に向けて突出された端子部１８と、端子部１８の前後両側に形成された係合端縁１９，１９とが設けられている。また、接片部１２の先端部分が図において下方Ｃ”に屈曲された接点エリア１６となされ、その接点エリアの中央に接点１７が形成されている。」（【００１１】参照）
３−ハ．「第２接片部材２はプラグＰのリング接片Ｒ（図５参照）に対応するもので、この第２接片部材２には上述した第１接片部材１と同じ大きさ・形状のものが用いられる。したがって、第１接片部材１に具備された各要素、すなわち取付片部２１と接片部２２と突片部２３と係合片２４と係合爪２５，２５と接点エリア２６と接点２７と端子部２８と係合端縁２９，２９とを具備している。」（【００１２】参照）
３−ニ．「第１接片部材１を第１接片部材取付エリア５に取り付けるときは、まず、取付片部１１の一部を溝部５２に上方から差し込んで取付片部１１を下方Ｃ”に押し込む。このようにすると、押込みの初期には、取付片部１１が溝部５２により、係合片１４がガイド溝部５４により、それぞれ案内される。そして、係合片１４が係合段部５３に乗り上がってそれを乗り越え、図６で説明した状態に取り付けられる。ここで、係合片１４が係合段部５３を乗り越えるより前、たとえば係合片１４が係合段部５３に乗り上がったときに突片部１３が支持面５７に当接するように上記初期曲り角度θを定めておくと、取り付けられた第１接片部材１においては、突片部１３が支持面５７に弾接した状態になって接片部１２に挿入空間４１の内方に向くプリロードが付与される。この場合、突片部１３が支持面５７に当接してから以後の押込み段階では、突片部１３が支持面５７の上で摺動して接片部１２の変形を吸収する。このため、突片部１３を図例のように円弧状に形成しておくと摺動が円滑に行われてボディ４に力がほとんど加わらなくなる利点がある。そして、このように接片部１２にプリロードを付与しておくと、そのプリロードが接点１７とプラグＰとの接触圧力を増大させることに寄与し、上述した接触安定性がいっそう向上する。」（【００１７】参照）
３−ホ．「第３接片部材取付エリア７に取り付けられた第３接片部材３は、上部突出片３３が凹所４３に差し込まれていること、係合孔部３７が係合突起４４に係合していること、下部突出片３４，３４がボディ４の内部に差し込まれて左右側壁内面４６ａ，４６ａに当接していることによりボディ４に左右方向Ｂで固定され、また、上部突出片３３が凹所４３に差し込まれていること、係合孔部３７が係合突起４４に係合していること、係合爪３８，３８が係合孔部４５に係合していることによりボディ４に前後方向Ａおよび上下方向Ｃで固定されている。」（【００２４】参照）
　　
（４）上記刊行物４は「多極プラグ」に関するものであって、図１〜１１と共に、以下の事項が記載されている。
４−イ．「プラグ本体２を、チップ４と第一リング５との間に位置付けした第一絶縁カラー６と、該第一リング５と第二リング７との間に位置付けした第二絶縁カラー８と、該第二リング７とスリーブ９との間に位置付けした第三絶縁カラー１０とから構成し、前記第一絶縁カラー６、第二絶縁カラー８、第三絶縁カラー１０を同一の合成樹脂により成型すると共に前記スリーブ９に、ターミナル３を圧入した処の第四絶縁カラーＣを嵌合固着した多極プラグ」（【請求項１】参照）
４−ロ．「１は多極プラグ体で、主としてプラグ本体２に、金属製のターミナル３を圧入した処の第四絶縁カラーＣを圧入固着して構成してある。
前記したプラグ本体２は、導体としてのチツプ４と第一リング５との間に位置付けした第一絶縁カラー６と、該第一リング５と第二リング７との間に位置付けした第二絶縁カラー８と、該第二リング７とスリーブ９との間に位置付けした第三絶縁カラー１０とから構成してあり、前記第一絶縁カラー６、第二絶縁カラー８、第三絶縁カラー１０を同一の合成樹脂により注入固化してある。」（【０００５】参照）
４−ハ．「前記したスリーブ９の一部外周部にローレット１１を切ってあり、ターミナル３を予め圧入した処の第四絶縁カラーＣの圧入嵌合孔部１２を嵌合せしめて一体的に成してある。１３はターミナル３を圧入嵌合するための第四絶縁カラーＣに設けたスリット溝孔で本実施例では２個設けてあるが４個、６個と設けてもよい。１４、１５はターミナル３に形成した切起し片部である。」（【０００６】参照）
４−ニ．「次に本考案品の組立て順序について説明する。
樹脂成型により形成したプラグ本体２のローレット１１を切ったスリーブ９に、ターミナル３をスリット溝孔１３に圧入した第四絶縁カラーＣの圧入嵌合孔部１２を嵌合固着せしめる。これにより多極プラグ体１が完成する。」（【０００７】参照）
４−ホ．「【考案の効果】合成樹脂成型したプラグ本体２に、ターミナルを圧入した処の第四絶縁カラーＣを嵌合固着したので、多極プラグ体を構成することが出来、その応用範囲が広くなった。
又、プラグ本体２と第四絶縁カラーＣとが固定式のため、従来の差し込み回転式に比し接触不良が無く電流特性の安定性が向上した。」（【０００８】参照）
　　
５）対比・判断
　本件発明と引用発明とを対比すると、後者のハウジングが「接点１１ａ」と「接点１１ｂ」と「接点１１ｃ」と「接点１１ｄ」と「口金２」と「サイド端子６」の６接点を備え、後者の接続プラグが「接続端子４ａ」と「接続端子４ｂ」と「接続端子４ｃ」と「接点４ｄ」と「接続端子Ａ１」と「接続端子Ｂ５」の６端子を備えていると共に、後者の「接点１１ａと、接点１１ｂと、接点１１ｃと、接点１１ｄとをプラグ挿入穴に向けて配置」が前者の「チップ板バネと、第１のリング板バネと、スリーブ板バネと、第２のリング板バネとのそれらの各接点をプラグ挿入穴に向けて配置」に、同様に、「接続端子４ａと、接続端子４ｂと、接続端子４ｃと、接点４ｄとを夫々の間に絶縁カラーを挟んで一体成形したプラグ４」が「チップと、第１の中リングと、第２の中リングと、スリーブとを夫々の間に絶縁カラーを挟んで一体成形した４極プラグ」に、「プラグ挿入穴に挿入した時、上記接続端子４ａと上記接点１１ａ、上記接続端子４ｂと上記接点１１ｂ、上記接続端子４ｃと上記接点１１ｃ、上記接点４ｄと上記接点１１ｄとが夫々接触する」が「プラグ挿入穴に挿入した時、上記チップと上記チップ板バネ、上記第１の中リングと上記第１のリング板バネ、上記第２の中リングと上記第２のリング板バネ、上記スリーブと上記スリーブ板バネとが夫々接触する」に相当し、後者の「スペーサ７」と前者の「２極ホルダー」が２極の支持手段として同じ機能を備えていると認められるから、両者は、
「チップ板バネと、第１のリング板バネと、スリーブ板バネと、第２のリング板バネとのそれらの各接点をプラグ挿入穴に向けて配置して構成した６極ジャックと、
　チップと、第１の中リングと、第２の中リングと、スリーブとを夫々の間に絶縁カラーを挟んで一体成形した４極プラグと、該４極プラグに嵌め込んだ円筒状絶縁体の２極の支持手段とを備えた６極単頭プラグとからなり、
　上記６極単頭プラグを上記６極ジャックのプラグ挿入穴に挿入した時、上記チップと上記チップ板バネ、上記第１の中リングと上記第１のリング板バネ、上記第２の中リングと上記第２のリング板バネ、上記スリーブと上記スリーブ板バネとが夫々接触するように構成した６極ジャック・プラグ。」で一致するが、先ず次の点で相違する。
相違点：２極支持手段が、前者においては「４極プラグに鍔状に嵌め込んだ円筒状絶縁体の最前部内面に環状の第１の接点リングを設け、該第１の接点リングより奥の方に第１の接点リングの直径より小径の環状の第２の接点リングを配置して形成した２極のホルダー」であるのに対し、後者では「プラグに嵌め込んだ円筒状絶縁体の内外周面に接続端子Ａ１および接続端子Ｂ５を配置して形成したスペーサ７」である点。
　　
　そこで、上記相違点について検討すると、
刊行物１に記載された「多数点同軸シェルコネクター用ソケット」と「多接点同軸シェルコネクター」は、本件発明の「６極ジャック・プラグ」と同じ電気的接続装置の技術分野に属するものであり、電気的接点構造にのみ注目すると、その機能からみて、刊行物１記載の「円筒状の絶縁シェル１２の内面に環状の接点リング１〜６を配置して形成した多極のシェル２００」は、本件発明の「２極のホルダー」及び引用発明の「スペーサ７」に対応することは明らかである。
　しかし、刊行物１の上記記載事項１−イの「該シェルが多数の導電性接点リングを、互いに絶縁され、かつ、該シェルの長手方向である縦方向に間隔を隔てた状態で有しており」からみて、刊行物１記載の「導電性接点リング」については、円筒状絶縁体の最前部内面に一の導電性接点リングが設けられ、該導電性接点リングより奥の方に他の導電性接点リングが配置されていると言えるが、刊行物１の図２からみて両導電性接点リングの直径は略同一であって、一の導電性接点リングの直径より小径の他の導電性接点リングを配置しているとは言えない。その意味で、上記相違点は、刊行物１に記載されておらず、刊行物１の記載から自明の事項でもない。
　また、刊行物４に記載された「多極プラグ」は、その「ターミナル３」が２個の場合には、本件発明の「６極単頭プラグ」及び引用発明の「接続プラグ６」と同様に「６極プラグ」である。そして、刊行物４の上記記載事項４−ニ「ターミナル３を圧入嵌合するための第四絶縁カラーＣに設けたスリット溝孔で本実施例では２個設けてある」から、刊行物４記載の「第四絶縁カラーＣ」は、本件発明の「２極のホルダー」及び引用発明の「スペーサ７」に対応することは明らかである。しかし、刊行物４記載の２個の「ターミナル３」は、その図４から明らかなように円周方向に離れて配置されており、円筒状絶縁体の最前部内面に一方のターミナル３が設けられ、該ターミナル３より奥の方に他方のターミナル３が配置されていない。してみると、上記相違点は、刊行物４に記載されておらず、刊行物４の記載から自明の事項でもない。
　更に、刊行物３に記載された「ジャック型コネクタ」は、極数は６極ではないが、本件発明の「６極ジャック・プラグ」と同じ電気的接続装置の技術分野に属するものであって、刊行物３記載の「ジャック型コネクタ」が本件発明の「６極ジャック」及び引用発明の「接続ジャック３」に、同様に、「プラグ型コネクタＰ」が「６極単頭プラグ」及び「接続プラグ６」に対応する。しかし、刊行物３の上記記載事項および図１〜６からみて、刊行物記載３の「プラグ型コネクタＰ」は、本件発明の「４極プラグに鍔状に嵌め込んだ円筒状絶縁体の内面に第１の接点および第２の接点を配置して形成した２極のホルダー」及び引用発明の「接続端子Ａ１および接続端子Ｂ５を配置して形成したスペーサ７」に対応するものを備えていないことは明らかであり、上記相違点は、刊行物３に記載されておらず、刊行物３の記載から自明の事項でもない。
　結局、上記相違点は、刊行物１，３および４の記載を参酌して当業者が容易に想到し得る程度のものであるとは言えない。そして、本件発明は、上記相違点により、「２極のホルダー２６を構成する、第１の接点リング２９と第２の接点リング３０とは、奥方向の第２の接点リング３０の径を第１の接点リング２９の径よりも小径に形成したことで、両者の接点には段差を持たせることができ、このことで奥がわの第２の接点リングに接触するジャック側の板バネしか接触させることができない構造となり、小型化にしてもより安定した接触構造を得ることができる」（平成１５年１０月２１日付け特許異議意見書第６頁第２３〜２８行参照）、すなわち、「各種電気機器に使用する小型で、接触性が良く、接続操作が簡単で、しかも安価な６極ジャック・プラグを提供することができる。」（特許明細書第１０頁第２５〜２７行参照）という格別の効果を奏すると認められる。
　　
　以上のことから、本件発明の構成のうち、「４極プラグに鍔状に嵌め込んだ円筒状絶縁体の最前部内面に環状の第１の接点リングを設け、該第１の接点リングより奥の方に第１の接点リングの直径より小径の環状の第２の接点リングを配置して形成した２極のホルダー」については、刊行物１ないし４のいずれにも記載がなく、かつ、当業者に自明の構成ではない新規な構成でると認められるから、本件発明と引用発明との他の相違点についての検討、判断を示すまでもなく、本件発明は、刊行物１〜４に記載された発明に基いて当業者が容易に発明をすることができたものでない。
　また、本件発明は、上記「２極のホルダー」を具備することにより、刊行物１（甲第１号証）に記載された発明でない。
　　
６）むすび
　以上のとおりであるから、本件請求項１に係る発明は、甲第１号証で示す刊行物に記載された発明でないことから特許法第２９条第１号第３号に規定する発明に該当せず、また、甲第１号証ないし甲第３号証で示す刊行物に記載された発明に基いて当業者が容易に発明をすることができたものでないことから特許法第２９条第２項の規定により特許を受けることができない発明ではない。したがって、本件請求項１に係る発明の特許を、当審で通知した取消理由によって取り消すことはできないし、特許異議申立ての理由及び証拠によっても取り消すことはできない
　また、他に本件請求項１に係る発明の特許を取り消すべき理由を発見しない。
　よって、結論のとおり決定する。
【異議決定日】
平成１５年１２月２４日（２００３．１２．２４）
【訂正の要旨】
審決（決定）の【理由】欄参照。
（５４）【発明の名称】
６極ジャック・プラグ
（５７）【特許請求の範囲】
　【請求項１】
チップ板バネ
第１のリング板バネ
スリーブ板バネ
第２のリング板バネとの
第１の接触板バネ
第２の接触板バネとの
チップと、第１の中リングと、第２の中リングと、スリーブとを夫々の間に絶縁カラーを挟んで一体成形した４極プラグと、この４極プラグに鍔状に嵌め込んだ円筒状絶縁体の
最前部内面に環状の第１の接点リングを設け、該第１の接点リングより奥の方に第１の接点リングの直径より小径の環状の第２の接点リング
を備えた
上記６極単頭プラグを上記６極ジャックのプラグ挿入穴に挿入した時、上記チップと
上記チップ板バネ
上記第１の中リングと上記第１のリング板バネ
上記第２の中リングと上記第２のリング板バネ
上記スリーブと上記スリーブ板バネ
上記第１の接触板バネ
上記第２の接触板バネ
【発明の詳細な説明】
　【０００１】
　【産業上の利用分野】
　本発明は、各種電子機器の接続に使用する６極ジャック・プラグに関する。
　【０００２】
　【従来の技術】
　従来、各種電子機器において３極または４極のジャック・プラグが広く使用されている。例えば、図４３〜図４７は３極のφ３．５ジャックの正面図、下面図、側面図、プリント基板穴参考図、回路図を夫々示し、図４８はこのジャックと接続される３極プラグの側面図を示す。
　【０００３】
　図４３〜図４５において、ジャック５０は、プラグを挿入するために前部に設けられたハウジング５１から後部まで貫通する穴５２を有しており、その穴５２内には、スリーブバネ５３、リングバネ５４、チップバネ５５の各一端部が突き出ている。これらのバネ５３、５４、５５の各他端部はハウジングの外側に引き出され、夫々、図４６に示すようにプリント基板に設けられた貫通穴から突き出しており一方の機器への接続端子として使用される。
　【０００４】
　一方、プラグ６０は、図４８に示すように、チップ６１、リング６２、スリーブ６３が夫々の間を絶縁カラー６４、６５を挟んで棒状に一体成形されている。チップ６１、リング６２、スリーブ６３は、夫々コード６６の接続線の各一端と接続され、このコード６６の他端は他方の機器に接続される。
　【０００５】
　このような構造からなるジャック５０にプラグ６０を挿入して電気的接続を得るためには、プラグ６０をジャック５０に完全に挿入した時、スリーブバネ５３とスリーブ６３、リングバネ５４とリング６２、チップバネ５５とチップ６１とが夫々接続されることになり、その結果、ジャック５０とプラグ６０とに夫々接続されている機器間が電気的に接続されることになる。
　【０００６】
　なお、プラグ挿入過程においては、リングバネ５４とチップバネ５５、リングバネ５４とスリーブバネ５３とは、夫々電気的導通状態となり得る。
　【０００７】
　上記のような３極ジャック・プラグが広く使用されている反面、最近、テープレコーダや
ラジオ受信機等
　【０００８】
　そのため、例えば、上記３極ジャック・プラグを２組平行に並べて６極としたものや、特開平４−１１８８７９「接続装置」に開示されているような６極ジャック・プラグが開発されている。この接続装置の６極ジャック・プラグ６７は、図４９に示すように、プラグには信号用接点６８ａ、６８ｂ、６８ｃと制御接点６９ａ、６９ｂ、６９ｃとを設けた構造が開示されている。
　【０００９】
　【発明が解決しようとする課題】
　しかしながら、上記従来の３極または４極のジャック・プラグには、規格によって各極の端子配置が決められているため、６極ジャック・プラグに改造することは不可能であった。
　【００１０】
　又、２組の３極ジャック・プラグを平行に並べて使用した６極ジャック・プラグは、大型になり、接続操作も簡単ではなく、かつコストが高いという欠点があった。
　【００１１】
　又、上記
従来技術
　【００１２】
　従って、本発明に係る６極ジャック・プラグは、上記のような従来技術における問題点を解消した６極ジャック・プラグに課題を有している。
　【００１３】
　【課題を解決するための手段】
　上記課題を解決するため、本発明に係る６極ジャック・プラグは、
チップ板バネ
第１のリング板バネ
スリーブ板バネ
第２のリング板バネとの
第１の接触板バネ
第２の接触板バネとの
チップと、第１の中リングと、第２の中リングと、スリーブとを夫々の間に絶縁カラーを挟んで一体成形した４極プラグと、この４極プラグに鍔状に嵌め込んだ円筒状絶縁体の
最前部内面に環状の第１の接点リングを設け、該第１の接点リングより奥の方に第１の接点リングの直径より小径の環状の第２の接点リング
を備えた
なり、
上記６極単頭プラグを上記６極ジャックのプラグ挿入穴に挿入した時、上記チップと上記チップ板バネ、上記第１の中リングと上記第１のリング板バネ、上記第２の中リングと上記第２のリング板バネ、上記スリーブと上記スリーブ板バネ、上記第１の接点リングと上記第１の接触板バネ、上記第２の接点リングと上記第２の接触板バネとが夫々接触するように構成したことである。
　【００１４】
　【００１５】
　【作用】
　上記構成による６極ジャック・プラグは下記のように作用する。
　６極単頭プラグをチップから６極ジャックのプラグ挿入穴に挿入すると、６極ジャックの前部も６極単頭プラグのホルダー部の中へ挿入されることになり、その結果、下記の対応で６極ジャックと６極単頭プラグとが接触する。夫々の極は例えば下記の用途に使用される。
　【００１６】
　【００１７】
　本発明に係る６極ジャック・プラグは、全て板バネを用いているので良好な接触性能が得られる。又、接続操作も簡単、確実に行うことができる。
　【００１８】
　【実施例】
　以下、本発明に係る６極ジャック・プラグの実施例について説明する。
　本６極ジャック・プラグは、φ３．５小型６極ジャックとφ３．５単頭６極プラグとからなる。以下それぞれに分けて説明する。
　【００１９】
１．＜φ３．５小型６極ジャックについて＞
　図１〜図５は、φ３．５小型６極ジャックの正面図、右側面図、下面図、上面図、回路図を夫々示す。
　【００２０】
　図１〜図３において、６極ジャックにおいては、後述する６極単頭プラグを挿入するために、筒型形状に形成されたハウジングの前部に設けられたスリーブ１から後部まで貫通するプラグ挿入穴内に、
スリーブ板バネ２
第２のリング板バネ３
第１のリング板バネ４
チップ板バネ５
　【００２１】
　これらのバネの内、
スリーブ板バネ２
第１のリング板バネ４
チップ板バネ５
第２のリング板バネ３
　【００２２】
　又、ハウジングの外側には、
第１の接触板バネ６
第２の接触板バネ７
第１及び第２の接触板バネ６、７
　【００２３】
　
スリーブ板バネ２
第２のリング板バネ３
第１のリング板バネ４
チップ板バネ５
第１の接触板バネ６
第２の接触板バネ７
　【００２４】
　なお、図４に示す６極ジャックの上面の斜線円形部分１１は、
第２のリング板バネ３
　【００２５】
　以下、本発明に係る６極ジャックの特徴である
第２のリング板バネ３
第１の接触板バネ６
第２の接触板バネ７
　【００２６】
１．１．＜
第２のリング板バネ３
　図６〜図９は
第２のリング板バネ３
　【００２７】
　
第２のリング板バネ３
　【００２８】
　
第２のリング板バネ３
　【００２９】
　
第２のリング板バネ３
　【００３０】
１．２．＜
第１の接触板バネ６
　
第１の接触板バネ６
　【００３１】
　
第１の接触板バネ６
　【００３２】
　又、接続端子用アーム１５Ａの先端部は延設して端子１５とする。更に、本体にストッパ１６を設ける。
　なお、端子１５は、コマ交換により面実装用の端子とすることができる。
　【００３３】
１．３．＜
第２の接触板バネ７
　
第２の接触板バネ７
　【００３４】
　
第２の接触板バネ７
　【００３５】
　又、接続端子用アーム１８Ａの先端部は延設した端子１８とする。更に、本体にストッパ１９を設ける。
　又、端子１８は、コマ交換により面実装用の端子とすることができる。
　【００３６】
１．４．＜６極ジャックの組み立てについて＞
　上記６極ジャックを組み立てるには、先ず、ハウジングの後方から
スリーブ板バネ２
第１のリング板バネ４
チップ板バネ５
第１の接触板バネ６
第２の接触板バネ７
第２のリング板バネ３
　【００３７】
２．＜６極単頭プラグについて＞
　６極単頭プラグ２０は、図１６〜図１９に示すように、チップ２１と、絶縁カラー２２と、
第１の中リング２３
第２の中リング２５
　【００３８】
　本発明に係る６極単頭プラグ２０の特徴であるホルダー２６は、絶縁体の底付円筒状に形成されており、その底の中心には上記４極プラグを嵌め込むための穴が設けられている。
　【００３９】
２．１．＜ホルダー２６について＞
　ホルダー２６は、図２０〜図２４に示すように、６極単頭プラグ２０を６極ジャックのスリーブ１から挿入した時、６極ジャックの先端部、即ち、
第１の接触板バネ６
第２の接触板バネ７
第１の接触板バネ６
第２の接触板バネ７
第１の接点リング２９
第２の接点リング３０
　【００４０】
　
第１の接点リング２９
第２の接点リング３０
第１の接点リング２９
第１の接点リング２９
第１及び第２の接点リング２９、３０
第１及び第２の接点リング２９、３０
　【００４１】
　又、図２１〜図２４に示すように、
第１の接点リング２９
図２２に示すように、第２の接点リング３０
　【００４２】
２．２．＜絶縁ホルダー３１について＞
　絶縁ホルダー３１は、絶縁体によって図２５〜図２７に示すような底付円筒形状に製作される。絶縁ホルダー３１の円筒の底部には、図２７に示すように、
第２の接点リング３０
　【００４３】
２．３．＜絶縁ホルダーカバー３２について＞
　絶縁ホルダーカバー３２は、絶縁体によって図２８〜図３０に示すような円筒状に製作される。絶縁ホルダーカバー３２の後部上下には、
第１の接点リング２９
　【００４４】
２．４．＜
第１の接点リング２９
　
第１の接点リング２９
　【００４５】
２．５．＜
第２の接点リング３０
　
第２の接点リング３０
　【００４６】
２．７．＜６極単頭プラグ２０の組み立てについて＞
　６極単頭プラグの組み立ては下記のように行う。
　（１）先ず、チップ２１、
第１の中リング２３
第２の中リング２５
　【００４７】
　（２）次に、絶縁ホルダー３１内に
第１及び第２の接点リング２９、３０
第１の接点リング２９
　【００４８】
　（３）最後に、上記一体成形された４極プラグを上記一体成形されたホルダー２６内に圧入することにより６極単頭プラグ２０となる。
　【００４９】
２．８．＜６極単頭プラグの完成品について＞
　上記のように組み立てた６極単頭プラグ２０を、図３９及び図４０に示すように、適当な形状のカバー３５内に収容し、６極単頭プラグ２０の後部の各端子をコード３６の各線と接続する。コード３６の端部にはブッシュ３７を取り付ける。
　【００５０】
　図４１は、６極ジャック・プラグをテープレコーダ等において、３極の音声信号用と３極の制御信号用とに使用する場合の接続例を示す。
　【００５１】
　コード３６は、図４２に示すように適当な長さに折り曲げてビニタイ３８で結束することにより任意の長さで使用することができる。
　【００５２】
　以上φ３．５の６極ジャック・プラグの実施例について説明したが、本発明に係る６極ジャック・プラグの構成は、各種の口径のジャック・プラグに適用することができることは勿論である。
　【００５３】
　【発明の効果】
　以上説明したように、本発明に係る６極ジャック・プラグによれば、各種電気機器に使用する小型で、接触性が良く、接続操作が簡単で、しかも安価な６極ジャック・プラグを提供することができる。
【図面の簡単な説明】
　【図１】
　本発明に係る６極ジャックの実施例の正面図である。
　【図２】
　同６極ジャックの側面図である。
　【図３】
　同６極ジャックの下面図である。
　【図４】
　同６極ジャックの上面図である。
　【図５】
　同６極ジャックの回路図である。
　【図６】
　同６極ジャックの
スリーブ板バネ
　【図７】
　同下面図である。
　【図８】
　同側面図である。
　【図９】
　同図６のＡ−Ａ断面図である。
　【図１０】
　同６極ジャックの
第１の接触板バネ
　【図１１】
　同
図１０の第１の接触板バネ
　【図１２】
　同
図１０の第１の接触板バネ
　【図１３】
　同６極ジャックの
第２の接触板バネ
　【図１４】
　同図１４の
第２の接触板バネ
　【図１５】
　同図１４の
第２の接触板バネ
　【図１６】
　６極単頭プラグの実施例の外観を示す説明図である。
　【図１７】
　同実施例の断面図である。
　【図１８】
　同実施例の左側面図である。
　【図１９】
　同実施例の右側面図である。
　【図２０】
　同実施例のホルダーの拡大断面図である。
　【図２１】
　同ホルダーの上下方向断面図である。
　【図２２】
　同ホルダーの左右方向断面図である。
　【図２３】
　同ホルダーの左側面図である。
　【図２４】
　同ホルダーの右側面図である。
　【図２５】
　同ホルダーの絶縁ホルダーの左右方向断面図である。
　【図２６】
　同絶縁ホルダーの左側面図である。
　【図２７】
　同絶縁ホルダーの右側面図である。
　【図２８】
　同ホルダーの絶縁ホルダーカバーの上下方向断面図である。
　【図２９】
　同絶縁ホルダーカバーの左側面図である。
　【図３０】
　同絶縁ホルダーカバーの右側面図である。
　【図３１】
　同ホルダーの第１の接点リングの断面図である。
　【図３２】
　同第１の接点リングの上面図である。
　【図３３】
　同第１の接点リングの左側面図である。
　【図３４】
　同第１の接点リングの右側面図である。
　【図３５】
　同ホルダーの第２の接点リングの断面図である。
　【図３６】
　同第２の接点リングの下面図である。
　【図３７】
　同第２の接点リングの左側面図である。
　【図３８】
　同第２の接点リングの右側面図である。
　【図３９】
　６極単頭プラグの製品の一例を示す説明図である。
　【図４０】
　同製品の左側面図である。
　【図４１】
　同製品の使用例を示す説明図である。
　【図４２】
　同製品の使用例を示す説明図である。
　【図４３】
　従来技術による３極ジャックの正面図である。
　【図４４】
　同３極ジャックの下面図である。
　【図４５】
　同３極ジャックの側面図である。
　【図４６】
　同３極ジャックのプリント基板取り付け穴を示す説明図である。
　【図４７】
　同３極ジャックの回路図である。
　【図４８】
　従来技術によるプラグの説明図である。
　【図４９】
　従来技術におけるプラグとジャックを示した断面図である。
　【符号の説明】
　　１　スリーブ
　　２　
スリーブ板バネ
　　３　
第２のリング板バネ
　　４　
第１のリング板バネ
　　５　
チップ板バネ
　　６　
第１の接触板バネ
　　７　
第２の接触板バネ
　　８、９　ボス
　１１　吸着範囲
　１２　
第２のリング板バネの接触子
　１３　
第２のリング板バネの端子
　１４　
第１の接触板バネの接点
　１５　
第１の接触板バネの端子
　１６　
第１の接触板バネのストッパ
　１７　
第２の接触板バネの接点
　１８　
第２の接触板バネの端子
　１９　
第２の接触板バネのストッパ
　２０　６極単頭プラグ
　２１　チップ
　２２、２４、２８　絶縁カラー
　２３　第１の中リング
　２５　第２の中リング
　２６　ホルダー
　２７　スリーブ
　２９　第１の接点リング
　２９Ａ、２９Ｂ　
第１の接点リング２９の端子
　３０　第２の接点リング
　３０Ａ、３０Ｂ　
第２の接点リング３０の端子
　３１　絶縁ホルダー
　３２　絶縁ホルダーカバー
　３３Ａ、３３Ｂ　端子用貫通穴
　３４　ストッパ
　３５　６極プラグのカバー
　３６　コード
　３７　ブッシュ
　３８　ビニタイ
【図面】